(57)【要約】  第１回路（ＣＲＴ1 ）を具える電子ユニット（ＰＣＢ）と、この電子ユニット（ＰＣＢ）に対して移動可能に組立てられた光ピックアップユニット（ＯＰＵ）であって、ディスク（ＤＳＫ）からの反射された光（ＲＦＬ）を受けるための複数の光センサ（ＰＨＤＳ）を有する第２回路（ＣＲＴ2 ）を具え、各光センサが電気信号（ＩA 〜ＩH ）を発生するようになっている当該光ピックアップユニットと、第２回路（ＣＲＴ2 ）を第１回路（ＣＲＴ1 ）に結合し、これら第１回路（ＣＲＴ1 ）及び第２回路（ＣＲＴ2 ）間で情報を伝達する為の結合手段とを有する光ディスクドライブを提供する。通常の処理モードでは、第２回路（ＣＲＴ2 ）により複数の電気信号（ＩE ，ＩG ；ＩF ，ＩH ）を組合わせ、これらの組合わされた電気信号（ＩE ，ＩG ；ＩF ，ＩH ）と、残りの組合わされてない電気信号（ＩA 〜ＩD ）とを、前記結合手段を介して第１回路（ＣＲＴ1 ）に伝達する。テストモードでは、全部又は一部の電気信号を、第２回路（ＣＲＴ2 ）により個別に処理する。このことにより、光ピックアップユニットと電子ユニットとの間の電気接続の個数を減少させることができる。
2007519127.tif 000002
【特許請求の範囲】
【請求項１】
第１電子回路を具える電子ユニットと、
この電子ユニットに対して移動可能に組立てられており、光ディスクへのデータの書き込み及び光ディスクからのデータの読み取りの双方又はいずれか一方を行う為の光を発生する光発生手段を具える光ピックアップユニットであって、この光ピックアップユニットは、この光発生手段により生じ前記光ディスクから反射された光を受けるための複数の光センサを具える第２電子回路を有し、これらの各光センサが電気信号を発生するための出力端を具える当該光ピックアップユニットと、
前記第２電子回路を前記第１電子回路に結合し、これら第１電子回路及び第２電子回路間で情報を伝達する為の結合手段と
を有する光ディスクドライブにおいて、
通常の処理モードでは、複数の電気信号が、前記第２電子回路により組合わされ、これらの組合わされた電気信号と、残りの組合わされていない電気信号とが、前記結合手段を介して前記第１電子回路に伝達されるようになっており、テストモードでは、前記電気信号の全部又は一部が、前記第２電子回路により個別に処理されるようになっていることを特徴とする光ディスクドライブ。
【請求項２】
請求項１に記載の光ディスクドライブにおいて、
前記第２電子回路が、複数の増幅器を有しており、これら増幅器の各々は、テストモードにおいて前記光センサの出力端に個別に結合されるようになっている入力端と、出力端とを有しており、通常の処理モードにおいては、組合わされた前記電気信号と残りの組合わされていない前記電気信号との合計に等しい個数の、前記増幅器の出力端が、個別に前記結合手段に結合され、且つ組合わされた前記電気信号の数に等しい数の、前記増幅器の入力端が、他の前記増幅器の入力端に個別に結合されるようになっていることを特徴とする光ディスクドライブ。
【請求項３】
請求項１又は２に記載の光ディスクドライブにおいて、
前記結合手段が、可撓性電気接続装置により構成されていることを特徴とする光ディスクドライブ。
【請求項４】
請求項３に記載の光ディスクドライブにおいて、
前記可撓性電気接続装置が、可撓性プリント回路であることを特徴とする光ディスクドライブ。
【請求項５】
請求項１〜４のいずれか一項に記載の光ディスクドライブにおいて、
前記光発生手段が、動作中、主光スポットと、第１及び第２サテライト光スポットとを発生し、前記複数の光センサは、前記主光スポットから生じる光を受ける主部と、前記第１サテライト光スポットから生じる光を受ける第１サテライト部と、第２サテライト光スポットから生じる光を受ける第２サテライト部とに分けられており、組み合わされた前記電気信号は、前記光センサの前記第１及び前記第２サテライト部に対応する電気信号を組合わせたものとなるようにしたことを特徴とする光ディスクドライブ。
【請求項６】
請求項５に記載の光ディスクドライブにおいて、
前記主部は、４つの主電気信号と称する４つの電気信号を生じる４つの領域を有し、前記第１サテライト部は、前記４つの主電気信号ではない２つの第１サテライト部電気信号と称する２つの電気信号を生じる２つの領域を有し、前記第２サテライト部は、前記４つの主電気信号でなく且つ前記２つの第１サテライト部電気信号でない２つの第２サテライト部電気信号と称する２つの電気信号を生じる２つの領域を有し、通常の処理モードでは、前記２つの第１サテライト部電気信号の少なくとも一方が、前記２つの第２サテライト部電気信号の少なくとも一方と組合わされるになっていることを特徴とする光ディスクドライブ。
【請求項７】
請求項２〜６のいずれか一項に記載の光ディスクドライブにおいて、
前記第２電子回路はＢＵＳシステムを有し、このＢＵＳシステムは、当該ＢＵＳシステムの少なくとも１つの制御ビットにより、少なくとも１つの前記増幅器の利得を制御するようになっており、少なくとも１つの前記制御ビットの振幅を、少なくとも１つの前記増幅器の利得を制御するのに必要な振幅より大きくしうることにより、このＢＵＳシステムを介して追加の情報を送り一部の前記増幅器をスイッチオフ又はスタンバイ状態にしうるようになっていることを特徴とする光ディスクドライブ。
【請求項８】
請求項７に記載の光ディスクドライブにおいて、
前記ＢＵＳシステムが、３値論理を用いるようになっていることを特徴とする光ディスクドライブ。
【請求項９】
請求項２〜６のいずれか一項に記載の光ディスクドライブにおいて、
前記第２電子回路は、３値論理ＢＵＳシステムを有し、この３値論理ＢＵＳシステムは、当該ＢＵＳシステムの少なくとも１つの制御ビットにより、少なくとも１つの前記増幅器の利得を制御し、このＢＵＳシステムを介して追加の情報を送り一部の前記増幅器をスイッチオフ又はスタンバイ状態にするようになっていることを特徴とする光ディスクドライブ。
【請求項１０】
請求項７〜９のいずれか一項に記載の光ディスクドライブにおいて、
少なくとも１つの前記増幅器の少なくとも１つの電力供給ラインを、この少なくとも１つの電力供給ライン上の電圧レベルを一時的に増大させ又は低減させることにより追加の情報を送る為にも使用するようになっていることを特徴とする光ディスクドライブ。
【請求項１１】
請求項１〜１０のいずれか一項に記載の光ディスクドライブを有する再生／記録装置。
【発明の詳細な説明】
【技術分野】
【０００１】
本発明は、光ディスクドライブ、より具体的には、第１電子回路を具える電子ユニットと、この電子ユニットに対して移動可能に組立てられており、光ディスクへのデータの書き込み及び光ディスクからのデータの読み取りの双方又はいずれか一方を行う為の光を発生する光発生手段を具える光ピックアップユニットであって、この光ピックアップユニットは、この光発生手段により生じ前記光ディスクから反射された光を受けるための複数の光センサを具える第２電子回路を有し、これらの各光センサが電気信号を発生するための出力端を具える当該光ピックアップユニットと、前記第２電子回路を前記第１電子回路に結合し、これら第１電子回路及び第２電子回路間で情報を伝達する為の結合手段とを有する光ディスクドライブに関するものである。
また、本発明は、光ディスクドライブを有する再生／記録装置にも関するものである。
【０００２】
一般に既知であるように、光記憶ディスクは、データパターンの形態で情報を記憶させうる少なくとも１つのトラックを、連続的ならせん又は複数の同心円の形態で有する。光ディスクは、ユーザが読み取ることができる情報を製造中に記憶させておく読み取り専用の種類にすることができる。また、光記憶ディスクは、ユーザが情報を記憶させることができる書き込み可能な種類にすることもできる。書き込み可能な光記憶ディスクの記憶スペースに情報を書き込む為に、光ディスクドライブは、光ディスクを収容し回転させる回転手段と、光ビーム、代表的にはレーザビームを発生させ、このレーザビームにより記憶トラックを走査するための光発生手段とを有している。一般的な光ディスクの技術及び光ディスクに情報を記憶させる方法は一般に既知である為、ここではこれらの詳細な説明は行わない。本発明を理解する為には、レーザービームを変調させることにより、ディスクの材料の特性を変化させた位置のパターンであって、符号化情報に対応するパターンを生ぜしめることを説明することで充分である。光ディスクの記録処理中には、レーザ駆動器が駆動電流によりレーザを制御する。この駆動電流、従ってレーザにより放出される光は、符号化情報により決定される所望のパターンに従う。
【０００３】
光ディスクドライブは、多数の機械及び電子部品を有する。主要な電子部品は、いわゆるプリント回路基板の形態で電子ユニット内に配置される。プリント回路基板は以降ＰＣＢと称する。このＰＣＢは、何らかの方法で電子ユニットのハウジングに固着されている。以降ＯＰＵとも称する光ピックアップユニットは、このハウジングに対して、従ってＰＣＢに対しても移動可能に組立てられている。このＯＰＵは、特に、レーザと、通常は光感応性ホトダイオードにより構成されている複数の光センサと、レンズ系と、ディスクドライブの電子部品の一部とを有する。レンズ系は、ディスクの表面上でのレーザ光の集束を正確なものとし、ホトダイオードは、反射された光を電気信号に変換する。ＯＰＵは、スイングアーム又はスレッジにより水平方向に移動させうるようになっている。ＯＰＵを移動させる為の他の手段を採用することもできる。更に、レーザ及びレンズ系の双方又はいずれか一方は、焦点を合わせる為に垂直方向に移動させることができる。このようにＯＰＵが移動可能になっていることにより、レーザから放出される光を位置決めして、ディスクの所望の位置上に光が放出されるようにすることができる。１つより多いホトダイオードを用いることにより、データを取出しうるＨＦ信号をディスクから取出すだけでなく、スレッジ（又は他の手段）のずれを測定しそれによりスレッジの位置を是正するとともに、レーザ又はレンズ系の垂直方向の移動を制御することもできる。従って、トラッキング及び焦点合わせは、これらホトダイオードから受ける情報（電流）により実施することもできる。トラッキングは、通常「プッシュプル」ラジアルトラッキングと称される。プッシュプルトラッキングは、一般に既知であり、公知文献に詳細に説明されている。従って、プッシュプルトラッキングの原理についての詳細な説明は省略する。本発明に関しては、いわゆる３スポットラジアルトラッキングプッシュプルシステム（以降「３スポットプッシュプル」とも称する）が頻繁に使用されるものであることに言及しておけば充分である。この３スポットプッシュプルも文献から周知の事項である。３スポットプッシュプルを使用する場合、レーザから生ずる光路内に空間格子を付加することにより３つのスポットを発生させる。この場合も、これら３つのスポットは、ホトダイオードに向けて反射される。従って、正確なトラッキングを行う為に、通常３セグメントのホトダイオードを使用する。各セグメントは、通常、複数のホトダイオードを有する。多くの場合には、８つの個別の電流が、これらホトダイオードにより発生される。これらの電流は、ＰＣＢ上の電子部品に伝達され、更に処理される。これらの電流は極めて微弱である為、通常は、結合手段を介してＰＣＢに伝達される前で最初に増幅される。このようにして、これらの電流が、電子部品のいずれかの場所で発生し結合手段により捕捉される不所望な信号により妨害されにくくする。即ち、微弱な電気信号を最初に増幅することにより、より高い信号対雑音比を達成することができる。このことにより、例えばプッシュプルトラッキングの制御がより信頼性あるものとなる。
【０００４】
ＯＰＵは、ＰＣＢに対して移動可能になっている為、結合手段は、機械的に強固な電気接続部により形成することはできない。従って、特殊な結合手段を利用する必要があるが、このような結合手段はあまり安価ではない。そこで、この結合手段内の電気ワイヤの数を最少にする試みがなされている。
【０００５】
従って、本発明の目的は、ＯＰＵ及びＰＣＢ間の電気接続部の数を低減させることにある。
【０００６】
本発明のこの目的を達成する為に、頭書に記載した光ディスクドライブは、通常の処理モードでは、複数の電気信号が、前記第２電子回路により組合わされ、これらの組合わされた電気信号と、残りの組合わされていない電気信号とが、前記結合手段を介して前記第１電子回路に伝達されるようになっており、テストモードでは、前記電気信号の全部又は一部が、前記第２電子回路により個別に処理されるようになっていることを特徴とする。
【０００７】
既知の光ディスクドライブでは、ＯＰＵの一部である第２電子回路からの全ての電気信号は、結合手段を介してＰＣＢの一部である第１電子回路に伝達されるようになっている。その理由は、テストモードでは、これら全ての電気信号が、第１電子回路内のいわゆるテスト回路により個別に必要とされる為である。このテスト回路は、光ディスクドライブの製造中にのみ用いられるテストモードにおいてのみ作動するものである。このテストモードでは、ディスクから反射される光に対するホトダイオードの位置（角度を含む）が規定される（校正）。従って、このテストモードは、ユーザによる通常の処理中に再度使用されることはない。
【０００８】
本発明は、幾つかの電気信号が第１電子回路において合計される為、ＨＦ信号の取出し、トラッキング及び焦点制御に関して全ての電気信号が必要なわけではないという認識に基づくものである。即ち、テスト回路を、ＰＣＢ上の第１電子回路からＯＰＵ上の第２電子回路に移動させることにより、第２電子回路において予め合計処理を行っておくことができるようになり、結合手段を介してＰＣＢに伝達する必要のある電気信号の数が少なくなる。テスト回路は、極めて容易に第２電子回路内に設けることができる。その理由は、第２電子回路は、通常では集積回路により構成される為である。従って、この場合、ＯＰＵの重量が著しく増大してしまうという欠点が無くなる。重量が増大することは、ＯＰＵの機械的構造及びＯＰＵの電力消費に関して不利になるおそれがある。従って、テストモードにおいて、全ての電気信号を増幅器により個別に増幅する必要があるだけである。本発明は、ホトダイオードからの幾つかの電流を組合わせる（合計する）通常モードでは、一部の増幅器をスイッチオフすることができるという追加の利点が得られる。このことにより、増幅器により消費される電力が少なくなる。即ち、例えば、通常モードにおいて、合計で８つの電流のうち６つの電流のみを結合手段を介して伝達すればよい場合には、合計で８つの増幅器のうち２つの増幅器のスイッチがオフになる。
【０００９】
請求項３に記載されているように、結合手段は、可撓性電気接続装置により構成するのが好ましい。その理由は、ＯＰＵをＰＣＢに対して移動可能にする必要がある為である。
【００１０】
請求項４に記載されているように、この可撓性電気接続装置は、可撓性プリント回路にすることができる。
【００１１】
光ディスクドライブの一例では、前記光発生手段が、動作中、主光スポットと、第１及び第２サテライト光スポットとを発生し、前記複数の光センサは、前記主光スポットから生じる光を受ける主部と、前記第１サテライト光スポットから生じる光を受ける第１サテライト部と、第２サテライト光スポットから生じる光を受ける第２サテライト部とに分けられており、組み合わされた前記電気信号は、前記光センサの前記第１及び前記第２サテライト部に対応する電気信号を組合わせたものとなるようにしたことを特徴とする。
【００１２】
このために、上述した３スポットプッシュプルシステムを使用する。通常モードでは、サテライト光スポットに対応する幾つかの電流を合計することができる為、結合手段を介して伝達される電流の数が減少する。合計処理は、ある増幅器の入力端と他の増幅器の入力端とを短絡させるスイッチを作動させることにより達成することができる。
【００１３】
光ディスクドライブの他の例では、前記第２電子回路はＢＵＳシステムを有し、このＢＵＳシステムは、当該ＢＵＳシステムの少なくとも１つの制御ビット（電圧又は電流とすることができる）により、少なくとも１つの前記増幅器の利得を制御するようになっており、少なくとも１つの前記制御ビットの振幅を、少なくとも１つの前記増幅器の利得を制御するのに必要な振幅より大きくしうることにより、このＢＵＳシステムを介して追加の情報を送り一部の前記増幅器をスイッチオフ又はスタンバイ状態にしうるようになっていることを特徴とする。このＢＵＳシステムを介して、各増幅器の利得を他の増幅器と関係なく設定することができる。このことは、ＰＣＢ上の第１電子回路が、異なる利得値で電流を処理することができるために有利なことである。このことは、例えば、サテライト光スポットに対応する電流が、主光スポットに対応する電流より通常極めて弱いことにより生じうるものである。前述したように、一部の増幅器をスイッチオフし又はスタンバイ状態にする追加情報をＢＵＳシステムを介して送ることは有利なことである。その理由は、このようにしなければ、ＢＵＳシステムに使用する制御ビットの数を多くする必要がある為である。
【００１４】
光ディスクドライブの更に他の例では、ＢＵＳシステムが、３値論理を用いることを特徴とする。通常、ＢＵＳシステムには２値論理が適用される。３値論理を用いれば、必要となる制御ビットの数がより少なくなる。この例では、前述したように、一部の増幅器をスイッチオフし又はスタンバイ状態にする追加情報をＢＵＳシステムを介して送ることは、少なくとも１つの制御ビットの振幅を、前記少なくとも１つの増幅器の利得を制御するのに必要な振幅より大きくしうるようにすることにより、達成することができる。或いは又、請求項９に記載されているように、追加の情報を、少なくとも１つの制御ビットの振幅を通常より大きくせずにＢＵＳを介して送る。このことは、２値論理よりも３値論理を用いた方が、ＢＵＳシステムの電気接続部当りより多くの情報を送ることができる為になし得ることである。
【００１５】
光ディスクドライブの更に他の例では、少なくとも１つの前記増幅器の少なくとも１つの電力供給ラインを、この少なくとも１つの電力供給ライン上の電圧レベルを一時的に増大させ又は低減させることにより追加の情報を送る為にも使用するようになっていることを特徴とする。一部の増幅器をスイッチオフし、又はスタンバイ状態にするのに、増幅器のいわゆるＶDD又はＶSS電力ラインを使用すれば、特に２値論理を適用する場合に、ＢＵＳシステムの電気ワイヤの数を減らすことができる。例えば、増幅器のＶSS電力ラインにおいて電圧を下げるのは一時的のみにすることができる。その理由は、このようにしなければ対応する増幅器が、必要な場合に通常の増幅処理を行い得ない為である。ＶSS電力ラインは、例えば、全ての増幅器に対して共通のＶSS電力ラインにすることができる。或いは又、同様のことをＶDD電力ラインにより達成することができる。後者の場合には、ＶDD電力ライン上の電圧は一時的に増大させる必要がある。増幅器の電力ライン上の電圧は、一時的にのみ低減させ又は増大させることができるので、対応する増幅器（テストモードに必要な増幅器）に、ある種のメモリ手段、例えばラッチを設ける必要がある。
【００１６】
本発明を添付の図面を参照してより詳細に説明する。
図面において、同様の機能又は目的を有する部分又は素子には、同じ参照符号を付してある。
図１は、ＯＰＵの実施例を示す線図である。このＯＰＵは、レーザＬＳと、空間格子ＧＲＴと、偏光ビームスプリッタＰＢＳと、コリメータ（レンズ）ＣＬＭと、１／４λ板ＰＬＴと、対物レンズＯＬと、光感応性ホトダイオードＰＨＤＳとを有する。また、光ディスクＤＳＫも示してある。
【００１７】
レーザは、極めて細い光ビームＬを発生し、この光ビームＬは、空間格子ＧＲＴを通過して３つの光ビーム３Ｌを形成する。これら３つの光ビーム３Ｌは、いわゆる３スポットのプッシュプルトラッキング制御を所望する場合に必要になる（それ以外の場合には、この空間格子ＧＲＴは省略することができる）。これら３つの光ビーム３Ｌは、偏光ビームスプリッタＰＢＳにより反射されてコリメータＣＬＭに向かう。コリメータＣＬＭに入射される発散光ビームは、平行な（即ち非発散及び非収束の）光ビームに変化されたものである。これら平行な光ビームは、１／４λ板ＰＬＴを通過し、それにより、これら光ビームの偏光は約９０°変化する。対物レンズＯＬが、これら光ビームを例えばＤＶＤである光ディスクＤＳＫの所望の位置上に収束させる。（設計によっては、対物レンズＯＬに対してより高いジオプター値を選択することにより、コリメータＣＬＭを省略しうる場合もある。）
【００１８】
ディスクＤＳＫから反射される光は、ディスクＤＳＫ上の情報によって変調されており、１／４λ板ＰＬＴを通過して光の偏光が約９０°変化する。その後、この光はコリメータＣＬＭを通過する。反射された光の偏光はこの時点で、レーザＬＳからの「入射」光ビームの偏光に対して反対になっている（１８０°変化している）ため、偏光ビームスプリッタＰＢＳにより反射されてレーザＬＳの方に戻るのではなく、偏光ビームスプリッタＰＢＳを通過する。従って、参照符号ＲＦＬで表される、ディスクから反射された光は、光感応性ホトダイオードＰＨＤＳ上に集束する。これらホトダイオードＰＨＤＳはこの光に応答して、ディスクＤＳＫから読み取られたデータを含む電流を発生する。データは、これらホトダイオードＰＨＤＳから生じるＨＦ信号を復調して取出すことができ、ＨＦ信号は、焦点制御及び（３スポット）プッシュプルトラッキング制御に必要な情報を含んでいる。
【００１９】
図２は、１つの主光スポットと２つのサテライト光スポットとにより照射されているトラックの一部を示す。主光スポットＭＳＰは、トラックＴＲ上に集束しており、第１サテライト光スポットＦＳＴは、左側のトラックＬＴＲとトラックＴＲとの間に入射しており、第２サテライト光スポットＳＳＴは、トラックＴＲと右側のトラックＲＴＲとの間に入射している。図示する状態では、理想的なプッシュプルトラッキングが行われており、反射した光ＲＦＬ（図１参照）は、図３に示すようにホトダイオードＰＨＤＳに当たる。（このことは、製造工程中に、いわゆるテストモードの段階でホトダイオードの位置／角度が校正されているという前提に基づくものである。）これらスポットＭＳＰ、ＦＳＴ及びＳＳＴは、一時的に、例えば左の方にシフトするおそれがある。この場合、主光スポットＭＳＰに対応する光を受けるホトダイオードＰＨＤＳの主部分Ａ，Ｂもシフトし、その結果電気信号ＩA ，ＩB が変化する。同じことが、それぞれ第１及び第２サテライト光スポットＦＳＴ及びＳＳＴに対応する光を受けるホトダイオードＰＨＤＳの第１サテライト部Ｅ、Ｆ及び第２サテライト部Ｇ、Ｈにも当てはまる。電気信号ＩA 〜ＩH の変化に応じて、プッシュプルトラック制御（しばしばサーボ制御とも称される）が、例えばＯＰＵが装着されたいわゆるスレッジ（図１には図示せず）により、ディスクＤＳＫ上に集束されたレーザビームの水平位置を変える。これら電気信号ＩA 〜ＩH から焦点制御及び符号情報の取出しを行うこともできる。データの取出し、焦点制御及びプッシュプル制御は周知の技術である為、これらの技術に関するより詳細な説明は要しない。
【００２０】
図４は、光ディスクドライブの一部を示す。この光ディスクドライブは、特に、主要な電子部品を有するＰＣＢを具える。これらの電子部品を第１電子回路ＣＲＴ1  として示す。この光ディスクドライブは更に、複数の機械部材（図４には図示せず）と、第２電子回路ＣＲＴ2 として示す幾つかの電子部品とを有するＯＰＵを具える。この第２電子回路ＣＲＴ2 は、反射された光ＲＦＬ（図１も参照）を受けるためのホトダイオードＰＨＤＳ（図３も参照）を有する。これらホトダイオードＰＨＤＳは、電流（図３のＩA 〜ＩH 参照）を発生する。既知のディスクドライブにおいては、これら電流は全て、可撓性電気接続装置ＦＣＤを介して第１電子回路ＣＲＴ1 に送られる。第１電子回路ＣＲＴ1 がこれらの電流を処理し、幾つかの電流が合計される。実際には、この合計処理を、第２電子回路ＣＲＴ2 において予め行っておくことができ、可撓性電気接続装置ＦＣＤにおいて必要とされる電気ワイヤの数を少なくすることができる。本例の場合、このようにはしていない。その理由は、全ての電流が、第１電子回路ＣＲＴ1 内のテスト回路ＴＳＴにより実施されるテストモードにおいて個別に必要とされる為である。
【００２１】
図５に示す本発明の実施例においては、テスト回路ＴＳＴは、第１電子回路ＣＲＴ1 の一部ではなく代わりに第２電子回路ＣＲＴ2 の一部としている（従って、ＰＣＢの一部ではなくＯＰＵの一部になっている）。このテスト回路ＴＳＴは、光ディスクドライブの製造中にのみ用いられるテストモードにおいてのみ作動する。このテストモードにおいて、ディスクＤＳＫからの反射された光に対するホトダイオードＰＨＤＳの位置（角度を含む）を規定する（校正）。テストモードでは、（図５に示すように）スイッチＳ１及びＳ２を開いた状態にする。その結果、全ての電流ＩA 〜ＩH は増幅器ＡＭＰA 〜ＡＭＰH により個別に増幅され、これら増幅器ＡＭＰA 〜ＡＭＰH からの全ての出力電流は、個別にテスト回路ＴＳＴに供給される。
【００２２】
通常の（ユーザ）モードでは、テスト回路ＴＳＴは常に不作動状態にあり、スイッチＳ１及びＳ２は閉じた状態にある。更に、増幅器ＡＭＰE 及びＡＭＰH を不作動状態にもする。このことは、バスシステムＢＵＳを介して制御することができる。スイッチＳ１が閉じていることにより、もはや増幅器ＡＭＰE により増幅できない電流ＩE が、電流ＩG に加わり、それによりこれら２つの電流の合計が増幅器ＡＭＰG により増幅される。スイッチＳ２が閉じていることにより、もはや増幅器ＡＭＰH により増幅できない電流ＩH が、電流ＩF に加わり、それによりこれら２つの電流の合計が増幅器ＡＭＰF により増幅される。増幅器ＡＭＰE 及びＡＭＰH を除いた増幅器の出力が、可撓性電気接続装置ＦＣＤに供給される。従って、既知の光ディスクドライブでは可撓性電気接続装置ＦＣＤを介して送られる電流が８つであるところ、本例では、６つのみになる。
【００２３】
バスシステムＢＵＳは、増幅器ＡＭＰA 〜ＡＭＰH の利得を設定する制御ビットを伝達する。これらの利得は個別に設定することができる。通常の（ユーザ）モードにおいては、追加の制御ビットにより、増幅器ＡＭＰE 及びＡＭＰH をスイッチオフ状態にすることができる。このことにより電力が節減される。この追加の制御ビットを用いる代わりに、（利得を設定するために用いる）制御ビットの電圧／電流を、一時的に増大／減少させて通常の電圧/電流値より大きく又は小さくし、増幅器ＡＭＰE 及びＡＭＰH をスイッチオフさせることを指示するようにすることもできる。制御ビットを用いる代わりに、例えば、演算増幅器ＡＭＰA 〜ＡＭＰH のＶｓｓ電力ライン上の電圧レベルを一時的に減少させることもできる。
【００２４】
或いは又、バスシステムＢＵＳは、制御ビット当りの利用可能な情報をより多くする為に３値論理制御ビットを用いることができる。この場合、演算増幅器ＡＭＰA 〜ＡＭＰH の利得設定信号及びスイッチオフ信号の双方とも、制御ビットの数を増やすことなく、ＢＵＳシステムを介して伝達することができる。
【図面の簡単な説明】
【００２５】
【図１】図１は、ＯＰＵを示す線図である。
【図２】図２は、主スポットと２つのサテライトスポットとが照射されているトラックの一部を示す線図である。
【図３】図３は、ＨＦ信号、焦点制御信号及び３スポットプッシュプルトラッキング制御信号を取出すための電流を発生する光感応性ホトダイオードを示す線図である。
【図４】図４は、光ディスクドライブの一部を示す線図である。
【図５】図５は、本発明の一実施例を示す線図である。
【図１】
2007519127.tif 000003
【図２】
2007519127.tif 000004
【図３】
2007519127.tif 000005
【図４】
2007519127.tif 000006
【図５】
2007519127.tif 000007
【国際調査報告】
2007519127.tif 000008
2007519127.tif 000009